(57)【特許請求の範囲】
【請求項１】
移動局と基地局との間に無線伝送路を設定して相互に通信を行うようにした移動通信システムにおいて、
移動局と基地局との間で通信が行われている際にその通信品質の状態を判定する通信品質判定手段と、
該通信品質判定手段での判定結果に応じて移動局と基地局との間の通信に使用される無線伝送路を該無線伝送路が提供する通信速度と異なる通信速度を提供する他の無線伝送路に切替える伝送路切替え制御手段と
を有し、
前記伝送路切替え制御手段は、高速伝送路にて通信を行っている移動局において、誤り率が閾値以上となった場合、及び誤り率が閾値より小さい状態であっても、送信電力が最大値から更に増加の指示が所定時間継続してなされた場合に、移動局により送信された低速伝送路への変更要求に応じて移動局と基地局との間の通信に使用される無線伝送路を切り替え、
高速伝送路にて通信を行っている基地局が、移動局から低速伝送路への変更要求を受信した場合、上り干渉量測定値が閾値より大きくなった場合、誤り率が閾値より大きくなった場合に、基地局により送信された低速伝送路への変更設定指示に応じて移動局と基地局との間の通信に使用される無線伝送路を切り替え、
低速伝送路にて通信を行っている移動局において、送信電力が最大値で制御されていない状態が所定時間継続した場合、送信電力の制御値に関わらず、誤り率が閾値より小さくなった場合に、移動局により送信された高速伝送路への変更要求に応じて移動局と基地局との間の通信に使用される無線伝送路を切り替え、
低速伝送路にて通信を行っている基地局が、移動局から高速伝送路への変更要求を受信した場合、上り干渉量測定値が閾値より小さくなった場合、誤り率が閾値より小さくなった場合に、基地局により送信された高速伝送路への変更設定指示に応じて移動局と基地局との間の通信に使用される無線伝送路を切り替えることを特徴とする移動通信システム。
【請求項２】
請求項１記載の移動通信システムにおいて、
上記通信品質判定手段は、移動局に設けられた移動通信システム。
【請求項３】
請求項１記載の移動通信システムにおいて、
上記通信品質判定手段は、基地局に設けられた移動通信システム。
【請求項４】
請求項１乃至３いずれか記載の移動通信システムにおいて、
上記通信品質判定手段は、移動局と基地局との間の通信において送受信される信号の誤り率に基づいて通信品質の状態を判定するようにした移動通信システム。
【請求項５】
請求項３記載の移動通信システムにおいて、
上記通信品質判定手段は、上り干渉量に基づいて通信品質の状態を判定するようにした移動通信システム。
【請求項６】
請求項２記載の移動通信システムにおいて、
上記通信品質判定手段は、移動局が送信電力を最大値にて制御している状態で、基地局から所定時間継続して送信電力の増加指示がなされるか否かを移動局と基地局との間の通信における通信品質の状態の判定結果として得る第一の送信電力制御判定手段を有する移動通信システム。
【請求項７】
請求項２または６記載の移動通信システムにおいて、
上記通信品質判定手段は、移動局が送信電力を最大値でない値に所定時間継続して制御しているか否かを移動局と基地局との間の通信における通信品質の状態の判定結果として得る第二の送信電力制御判定手段を有する移動通信システム。
【請求項８】
請求項１乃至７いずれか記載の移動通信システムにおいて、
上記伝送路切替え制御手段は、上記通信品質判定手段にて上記通信品質が所定基準より劣化した状態になったとの判定結果が得られたときに、移動局と基地局との通信に使用される無線伝送路を該無線伝送路が提供する通信速度より低い通信速度を提供する他の無線伝送路に切替える低速度化制御手段とを有する移動通信システム。
【請求項９】
請求項１乃至８いずれか記載の移動通信システムにおいて、
上記伝送路切替え制御手段は、上記通信品質判定手段にて上記通信品質が所定基準より改善された状態になったとの判定結果が得られたときに、移動局と基地局との通信に使用される無線伝送路を該無線伝送路が提供する通信速度より高い通信速度を提供する他の無線伝送路に切替える高速化制御手段とを有する移動通信システム。
【請求項１０】
請求項１乃至９いずれか記載の移動通信システムにおいて、
上記伝送路切替え制御手段は、移動局に設けられ、基地局との間の通信が切替え後の無線伝送路にて可能か否かの判定を行う切替え可否判定手段を有し、該切替え可否判定手段にて切替え後の無線伝送路にて通信が可能であると判定されたときに、無線伝送路の切替えを行うようにした移動通信システム。
【請求項１１】
請求項１０記載の移動通信システムにおいて、
上記切替え可否判定手段は、切替え後の無線伝送路での信号の同期確立ができるか否かに基づいて切替え後の無線伝送路にて通信が可能か否かを判定するようにした移動通信システム。
【請求項１２】
基地局との間に無線伝送路を設定して相互に通信を行う移動局において、
基地局との間で通信が行われている際にその通信品質の状態を判定する通信品質判定手段と、
該通信品質判定手段での判定結果に応じて基地局との間の通信に使用される無線伝送路を該無線伝送路が提供する通信速度と異なる通信速度を提供する他の通信伝送路に切替えることを基地局に要求する伝送路変更要求手段と
を有し、
前記伝送路変更要求手段は、高速伝送路にて通信を行っている場合において、誤り率が閾値以上となった場合、及び誤り率が閾値より小さい状態であっても、送信電力が最大値から更に増加の指示が所定時間継続してなされた場合に、低速伝送路への変更要求を基地局に対して送信し、
低速伝送路にて通信を行っている場合において、送信電力が最大値で制御されていない状態が所定時間継続した場合、送信電力の制御値に関わらず、誤り率が閾値より小さくなった場合に、高速伝送路への変更要求を基地局に対して送信し、
伝送路変更要求手段から基地局への要求に従って移動局と基地局との間の通信に使用される無線伝送路が切替えられるようにした移動局。
【請求項１３】
請求項１２記載の移動局において、
上記通信品質判定手段は、基地局からの受信信号の誤り率に基づいて通信品質を判定するようにした移動局。
【請求項１４】
請求項１２記載の移動局において、
上記通信品質判定手段は、送信電力を最大値にて制御している状態で、基地局から所定時間継続して送信電力の増加指示がなされるか否かを基地局との間の通信における通信品質の状態の判定結果として得る第一の送信電力制御判定手段を有する移動局。
【請求項１５】
請求項１２または１４記載の移動局において、
上記通信品質判定手段は、送信電力を最大値でない値に所定時間継続して制御しているか否かを基地局との間の通信における通信品質の状態の判定結果として得る第二の送信電力制御判定手段を有する移動局。
【請求項１６】
請求項１２乃至１５いずれか記載の移動局において、
上記伝送路変更要求手段は、上記通信品質判定手段にて上記通信品質が所定基準より劣化した状態になったとの判定結果が得られたときに、基地局との通信に使用される無線伝送路を該無線伝送路が提供する通信速度より低い通信速度を提供する他の無線伝送路に切替えることを基地局に要求する伝送路低速化要求手段を有する移動局。
【請求項１７】
請求項１２乃至１６いずれか記載の移動局において、
上記伝送路変更要求手段は、上記通信品質判定手段にて上記通信品質が所定基準より改善された状態になったとの判定結果が得られたときに、基地局との通信に使用される無線伝送路を該無線伝送路が提供する通信速度より高い通信速度を提供する他の無線伝送路に切替えることを基地局に要求する伝送路高速化要求手段を有する移動局。
【請求項１８】
請求項１２乃至１７いずれか記載の移動局において、
上記伝送路変更要求手段から基地局に対して無線伝送路を切替えることを要求した後に、基地局から無線伝送路の変更設定指示を受信したときに、基地局との間の通信に使用される無線伝送路の切替え制御を行う伝送路切替え制御手段を有する移動局。
【請求項１９】
請求項１８記載の移動局において、
上記伝送路切替え制御手段は、基地局との間の通信が切替え後の無線伝送路にて可能か否かの判定を行う切替え可否判定手段を有し、該切替え可否判定手段にて切替え後の無線伝送路にて通信が可能であると判定されたときに、無線伝送路の切替え制御を行うようにした移動局。
【請求項２０】
請求項１９記載の移動通信システムにおいて、
上記切替え可否判定手段は、切替え後の無線伝送路での信号の同期確立ができるか否かに基づいて切替え後の無線伝送路にて通信が可能か否かを判定するようにした移動局。
【請求項２１】
移動局との間に無線伝送路を設定して相互に通信を行うようにした基地局において、
移動局との間で通信が行われている際にその通信品質状態を判定する通信品質判定手段と、
該通信品質判定手段での判定結果に応じて移動局との間の通信に使用される無線伝送路を該無線伝送路が提供する通信速度と異なる通信速度を提供する他の無線伝送路に切替えることを移動局に指示する伝送路変更設定指示手段と
を有し、
前記伝送路変更設定指示手段は、
高速伝送路にて通信を行っている移動局において、誤り率が閾値以上となった場合、及び誤り率が閾値より小さい状態であっても、送信電力が最大値から更に増加の指示が所定時間継続してなされた場合に、移動局により送信された低速伝送路への変更要求に応じて、前記移動局に低速伝送路に変更するためのメッセージを送信し、
高速伝送路にて通信を行っている場合において、移動局から低速伝送路への変更要求を受信した場合、上り干渉量測定値が閾値より大きくなった場合、誤り率が閾値より大きくなった場合に、低速伝送路への変更設定指示を移動局に送信し、
低速伝送路にて通信を行っている移動局において、送信電力が最大値で制御されていない状態が所定時間継続した場合、送信電力の制御値に関わらず、誤り率が閾値より小さくなった場合に、移動局により送信された高速伝送路への変更要求に応じて、前記移動局に高速伝送路に変更するためのメッセージを送信し、
低速伝送路にて通信を行っている場合において、移動局から高速伝送路への変更要求を受信した場合、上り干渉量測定値が閾値より小さくなった場合、誤り率が閾値より小さくなった場合に、高速伝送路への変更設定指示を移動局に送信し、
該伝送路変更設定指示手段から移動局への指示に従って移動局と基地局との間の通信に使用される無線伝送路が切替えられるようにした基地局。
【請求項２２】
請求項２１記載の基地局において、
上記通信品質判定手段は、移動局から受信される信号の誤り率に基づいて通信品質の状態を判定するようにした基地局。
【請求項２３】
請求項２１記載の基地局において、
上記通信品質判定手段は、上り干渉量に基づいて通信品質の状態を判定するようにした基地局システム。
【請求項２４】
請求項２１ないし２３いずれか記載の基地局において、
上記伝送路変更設定指示手段は、上記通信品質判定手段にて上記通信品質が所定基準より劣化した状態になったとの判定結果が得られたときに、移動局との通信に使用される無線伝送路を該無線伝送路が提供する通信速度より低い通信速度を提供する他の無線伝送路に切替えることを指示する低速度化指示手段を有する基地局。
【請求項２５】
請求項２１ないし２４いずれか記載の基地局において、
上記伝送路変更設定指示手段は、上記通信品質判定手段にて上記通信品質が所定基準より改善された状態になったとの判定結果が得られたときに、移動局との通信に使用される無線伝送路を該無線伝送路が提供する通信速度より高い通信速度を提供する他の無線伝送路に切替えることを指示する高速化指示手段
を有する基地局。
【請求項２６】
請求項２１ないし２５いずれか記載の基地局において、
上記伝送路変更設定指示手段から移動局に対して無線伝送路を切替えることの指示がなされた後に、移動局との間の通信に使用される無線伝送路の切替え制御を行う伝送路切替え制御手段
を有する基地局。
【請求項２７】
請求項２６記載の基地局において、
上記伝送路切替え制御手段は、上記伝送路変更設定指示手段から移動局に対して無線伝送路を切替えるとの指示がなされた後に、移動局からその指示に対する応答を受信したときに、移動局との間の通信が切替え後の無線伝送路にて可能か否かの判定を行う切替え可否判定手段
を有し、
該切替え可否判定手段にて切替え後の無線伝送路にて通信が可能であると判定されたときに、無線伝送路の切替え制御を行うようにした基地局。
【請求項２８】
請求項２７記載の基地局において、
上記切替え可否判定手段は、切替え後の無線伝送路での信号の同期確立ができるか否かに基づいて切替え後の無線伝送路にて通信が可能か否かを判定するようにした基地局。
【発明の詳細な説明】
【０００１】
【発明の属する技術分野】
本発明は、移動通信システムに係り、詳しくは、異なった通信速度を提供できる伝送路の切替えが通信を行いながら可能となる移動通信システムに関する。
【０００２】
また、本発明は、そのような移動通信システムに用いられる移動局及び基地局及に関する。
【０００３】
【従来の技術】
従来、携帯電話等を用いた移動通信システムでは、伝送路が設定されて移動局と基地局間での通信が開始した後は、その通信の終了までその設定された伝送路の変更ができない。この移動機と基地局との間の通信手順は、例えば、図１６に示すように行われる。
【０００４】
図１６において、移動局は基地局に対して発信による呼設定の要求を行う（１０１）。この呼設定の要求を受信した基地局は、移動局に対して呼設定の要求を受信した旨の通知を行い（１０２）、呼を接続するための無線チャネル（伝送路）起動の設定要求を行う（１０３）。その後、移動局と基地局との間で無線チャネル確立のための制御信号の送受信が行われる（１０４）。
【０００５】
移動局と基地局間で無線チャネルが確立されると、移動局は、基地局に対して無線チャネルの確立完了を通知する（１０５）。その後、その確立された無線チャネルを通して、基地局から移動局に接続先端末の呼出（１０６）及び接続先端末の応答がなされる（１０７）。
【０００６】
移動局は、その接続先端末の応答を受信すると、その応答確認を基地局に送信し（１０８）、その後、上記確立された無線チャネルを通した通信が移動局と基地局との間で行われる（１０９）。この移動局と基地局との間の通信は、無線チャネルで決まる通信速度にてなされる。
【０００７】
上記のようにして移動局と基地局との間の通信に用いられる無線チャネル（伝送路）は、通話などの終了により移動局から解放信号が基地局に送信される（１１０）まで変更されることはない。そして、移動局から基地局との間での解放信号の送受信がなされた後、移動局と基地局との間では、伝送路の解放手順に従った制御信号の送受信が行われ、通信が終了する（１１１〜１１４）。
【０００８】
【発明が解決しようとする課題】
上記のような従来の移動通信システムでは、通信の開始から終了までその設定された伝送路によって決まる通信速度の変更がなされない。このため、移動局と基地局との間の伝搬状況が悪化した場合、通信速度を低速にすれば通信品質の劣化による切断を回避できたにもかかわらず、そのような対処ができない。また、移動局と基地局との間の伝搬状況が改善された場合、通信速度を高速にすることで通信サービスの質の向上を図れたにもかかわらず、そのような対処もできない。
【０００９】
そこで、本発明の第一の課題は、移動局と基地局との間においてより良い状態の通信が維持できるような移動通信システムを提供することである。
【００１０】
また、本発明の第二の課題は、そのような移動通信システムに用いられる移動局を提供することである。
【００１１】
更に、本発明の第三の課題は、そのような移動通信システムに用いられる基地局を提供することである。
【００１２】
【課題を解決するための手段】
上記第一の課題を解決するため、本発明は、請求項１に記載されるように、移動局と基地局との間に無線伝送路を設定して相互に通信を行うようにした移動通信システムにおいて、移動局と基地局との間で通信が行われている際にその通信品質の状態を判定する通信品質判定手段と、該通信品質判定手段での判定結果に応じて移動局と基地局との間の通信に使用される無線伝送路を該無線伝送路が提供する通信速度と異なる通信速度を提供する他の無線伝送路に切替える伝送路切替え制御手段とを有し、前記伝送路切替え制御手段は、高速伝送路にて通信を行っている移動局において、誤り率が閾値以上となった場合、及び誤り率が閾値より小さい状態であっても、送信電力が最大値から更に増加の指示が所定時間継続してなされた場合に、移動局により送信された低速伝送路への変更要求に応じて移動局と基地局との間の通信に使用される無線伝送路を切り替え、高速伝送路にて通信を行っている基地局が、移動局から低速伝送路への変更要求を受信した場合、上り干渉量測定値が閾値より大きくなった場合、誤り率が閾値より大きくなった場合に、基地局により送信された低速伝送路への変更設定指示に応じて移動局と基地局との間の通信に使用される無線伝送路を切り替え、低速伝送路にて通信を行っている移動局において、送信電力が最大値で制御されていない状態が所定時間継続した場合、送信電力の制御値に関わらず、誤り率が閾値より小さくなった場合に、移動局により送信された高速伝送路への変更要求に応じて移動局と基地局との間の通信に使用される無線伝送路を切り替え、低速伝送路にて通信を行っている基地局が、移動局から高速伝送路への変更要求を受信した場合、上り干渉量測定値が閾値より小さくなった場合、誤り率が閾値より小さくなった場合に、基地局により送信された高速伝送路への変更設定指示に応じて移動局と基地局との間の通信に使用される無線伝送路を切り替えるように構成される。
【００１３】
このような移動通信システムでは、移動局と基地局との間での通信状態が維持されながら、その通信品質に応じて通信速度の異なる無線伝送路の切替えが行われる。その結果、移動局と基地局との間の伝搬状況（通信品質）が悪化した場合、通信速度がより低速な無線伝送路に切替えることによって、通信品質の劣化による無線伝送路の切断を回避できる。また、たにもかかわらず、そのような対処ができない。また、移動局と基地局との間の伝搬状況（通信品質）が改善された場合、通信速度がより高速な無線伝送路に切替えることによって、通信サービスの質の向上を図れることができる。
【００１４】
上記通信品質判定手段は、請求項２に記載されるように、移動局に設けられることも、請求項３に記載されるように、基地局に設けられることもできる。
【００１５】
上記通信品質判定手段は、例えば、請求項４に記載されるように、移動局と基地局との間の通信において送受信される信号の誤り率に基づいて通信品質の状態を判定するように構成することができる。この場合、誤り率が大きくなるとより低速の無線伝送路に切替えられ、誤り率が小さくなるとより高速の無線伝送路に切替えることができる。
【００１６】
また、上記通信品質判定手段は、請求項５に記載されるように、上り干渉量に基づいて通信品質の状態を判定するように構成することができる。この場合、上り干渉量が大きくなるとより低速の無線伝送路に切替えられ、上り干渉量が小さくなるとより高速の無線伝送路に切替えられる。
【００１７】
基地局での受信品質が悪い場合、基地局から移動局に対して送信電力の増加指示がなされる移動通信システムがある。このような移動通信システムにて、通信状態を容易に判定できるという観点から、本発明は、請求項６に記載されるように、上記移動通信システムにおいて、上記通信品質判定手段は、移動局が送信電力を最大値にて制御している状態で、基地局から所定時間継続して送信電力の増加指示がなされるか否かを移動局と基地局との間の通信における通信品質の状態の判定結果として得る第一の送信電力制御判定手段を有するように構成することができる。
【００１８】
また、同様の観点から、本発明は、請求項７に記載されるように、上記各移動通信システムにおいて、上記通信品質判定手段は、移動局が送信電力を最大値でない値に所定時間継続して制御しているか否かを移動局と基地局との間の通信における通信品質の状態の判定結果として得る第二の送信電力制御判定手段を有するように構成することができる。
移動通信システム。
【００１９】
前述したように、通信品質に応じて適切な通信速度での通信が行えるという観点から、本発明は、請求項８に記載されるように、上記各移動通信システムにおいて、上記伝送路切替え制御手段は、上記通信品質判定手段にて上記通信品質が所定基準より劣化した状態になったとの判定結果が得られたときに、移動局と基地局との通信に使用される無線伝送路を該無線伝送路が提供する通信速度より低い通信速度を提供する他の無線伝送路に切替える低速度化制御手段とを有するように構成することができる。
【００２０】
また、同様の観点から本発明は、請求項９に記載されるように、上記各移動通信システムにおいて、伝送路切替え制御手段は、上記通信品質判定手段にて上記通信品質が所定基準より改善された状態になったとの判定結果が得られたときに、移動局と基地局との通信に使用される無線伝送路を該無線伝送路が提供する通信速度より高い通信速度を提供する他の無線伝送路に切替える高速化制御手段とを有するように構成することができる。
【００２１】
切替え後の通信が確実にできるという観点から、本発明は、請求項１０に記載されるように、上記各移動通信システムにおいて、上記伝送路切替え制御手段は、移動局に設けられ、基地局との間の通信が切替え後の無線伝送路にて可能か否かの判定を行う切替え可否判定手段を有し、該切替え可否判定手段にて切替え後の無線伝送路にて通信が可能であると判定されたときに、無線伝送路の切替えを行うように構成することができる。
【００２２】
上記切替え可否判定手段は、例えば、請求項１１に記載されるように、切替え後の無線伝送路での信号の同期確立ができるか否かに基づいて切替え後の無線伝送路にて通信が可能か否かを判定するように構成することができる。
【００２３】
上記第二の課題を解決するため、本発明は、請求項１２に記載されるように、基地局との間に無線伝送路を設定して相互に通信を行う移動局において、基地局との間で通信が行われている際にその通信品質の状態を判定する通信品質判定手段と、該通信品質判定手段での判定結果に応じて基地局との間の通信に使用される無線伝送路を該無線伝送路が提供する通信速度と異なる通信速度を提供する他の通信伝送路に切替えることを基地局に要求する伝送路変更要求手段とを有し、前記伝送路変更要求手段は、高速伝送路にて通信を行っている場合において、誤り率が閾値以上となった場合、及び誤り率が閾値より小さい状態であっても、送信電力が最大値から更に増加の指示が所定時間継続してなされた場合に、低速伝送路への変更要求を基地局に対して送信し、低速伝送路にて通信を行っている場合において、送信電力が最大値で制御されていない状態が所定時間継続した場合、送信電力の制御値に関わらず、誤り率が閾値より小さくなった場合に、高速伝送路への変更要求を基地局に対して送信し、伝送路変更要求手段から基地局への要求に従って移動局と基地局との間の通信に使用される無線伝送路が切替えられるように構成される。
【００２４】
更に、上記第三の課題を解決するため、本発明は、請求項２１に記載されるように、移動局との間に無線伝送路を設定して相互に通信を行うようにした基地局において、移動局との間で通信が行われている際にその通信品質状態を判定する通信品質判定手段と、該通信品質判定手段での判定結果に応じて移動局との間の通信に使用される無線伝送路を該無線伝送路が提供する通信速度と異なる通信速度を提供する他の無線伝送路に切替えることを移動局に指示する伝送路変更設定指示手段とを有し、前記伝送路変更設定指示手段は、高速伝送路にて通信を行っている場合において、移動局から低速伝送路への変更要求を受信した場合、上り干渉量測定値が閾値より大きくなった場合、誤り率が閾値より大きくなった場合に、低速伝送路への変更設定指示を移動局に送信し、低速伝送路にて通信を行っている場合において、移動局から高速伝送路への変更要求を受信した場合、上り干渉量測定値が閾値より小さくなった場合、誤り率が閾値より小さくなった場合に、高速伝送路への変更設定指示を移動局に送信し、該伝送路変更設定指示手段から移動局への指示に従って移動局と基地局との間の通信に使用される無線伝送路が切替えられるように構成される。
【００２５】
また、更に、上記第三の課題を解決するため、本発明は、請求項２２に記載されるように、移動局との間に無線伝送路を設定して相互に通信を行うようにした基地局において、移動局との間の通信に使用される無線伝送路を該無線伝送路が提供する通信速度と異なる通信速度を提供する他の無線伝送路に切替えることの要求を該移動局から受信したときに、該無線伝送路の切替えを移動局に指示する伝送路変更設定指示手段を有し、前記伝送路変更設定指示手段は、高速伝送路にて通信を行っている場合において、移動局から低速伝送路への変更要求を受信した場合、上り干渉量測定値が閾値より大きくなった場合、誤り率が閾値より大きくなった場合に、低速伝送路への変更設定指示を移動局に送信し、低速伝送路にて通信を行っている場合において、移動局から高速伝送路への変更要求を受信した場合、上り干渉量測定値が閾値より小さくなった場合、誤り率が閾値より小さくなった場合に、高速伝送路への変更設定指示を移動局に送信し、該伝送路変更設定指示手段から移動局への指示に従って移動局と基地局との間の通信に使用される無線伝送路が切替えられるように構成される。
【００２６】
【発明の実施の形態】
以下、本発明の実施の形態を図面に基づいて説明する。
【００２７】
本発明の実施の一形態に係る移動通信システムの基本的な構成は、図１に示すようになっている。
【００２８】
図１において、基地局２０のサービスエリアＥｓ（無線ゾーン）に在圏する移動局（例えば、携帯電話）１０は、基地局２０と無線通信を行う。基地局２０は、交換局３０を介して所定のネットワークに接続され、移動局１０は、基地局２０、交換局３０及び所定のネットワークを介して相手先端末と通信（通話やデータ通信）を行う。
【００２９】
上記移動局１０は、例えば、図２に示すように構成される。なお、図２は、移動局１０の本願発明に関連のある部分を概念的に示しており、他の部分については省略している。
【００３０】
図２において、移動局１０は、制御部１１及び無線部１２を有している。無線部１２は、送受信部１２１と無線測定部１２２を有する。送受信部１２１は、基地局２０と無線通信により信号の送受信を行う。無線測定部１２２は、送受信部１２１からの受信信号に基づいて伝送路状態の測定を行う。具体的には、受信信号のレベル測定や、後述するような誤り率（ＦＥＲ：Frame Error Rate）などの測定が行われる。
【００３１】
制御部１１は、タイマ制御部１１１と判定部１１２を有する。判定部１１２は、無線測定部１２２にて測定された伝送路状態に基づいて接続中の伝送路を高速及び低速のいずれに切替えるかの判定を行う。判定部１１２にて得られた伝送路切替えの判定結果は送受信部１２１に送られ、送受信部１２１は、その判定結果に基づいた制御信号（伝送路変更要求）を送信する。タイマ制御部１１１は、判定部１１２にてなされる判定処理に用いらるタイマ情報を提供する。
【００３２】
一方、基地局２０は、例えば、図３に示すように構成される。なお、図３は、基地局の本願発明に関連のある部分を概念的に示しており、他の部分については省略している。
【００３３】
図３において、基地局２０は、制御部２１及び無線部２２を有している。無線部２２は、送受信部２２１と無線測定部２２２を有する。送受信部２２１は、前述した移動局１０と無線通信により信号の送受信を行う。無線測定部２２２は、送受信部２２１にて受信した移動局１０からの下り信号に基づいて伝送路状態の測定を行う。具体的には、受信信号レベルの測定や、後述するような上り干渉量（ＵＩ）の測定や誤り率（ＦＥＲ）などの測定が行われる。
【００３４】
制御部２１は、判定部２１１を有している。この判定部２１１は、無線測定部２２２にて測定された伝送路状態や送受信部２２１にて受信された移動局１０からの伝送路変更要求に係る制御信号に基づいて接続中の伝送路を高速及び低速のいずれに切替えるかの判定を行う。送受信部１２１は、その判定結果に基づいた制御信号（伝送路変更設定）を送信する。
【００３５】
上記のような構成となる移動局１０と基地局２０との間で無線通信を行う過程で、移動局１０（主に制御部１１における判定部１１２）は、例えば、図４に示す手順に従った処理を行っている。
【００３６】
図４において、例えば、移動局１０と基地局２０との間で高速の伝送路が設定された状態で通信を行っている（７０１）過程で、無線測定部１２２にて測定される下り伝送路における誤り率ＦＥＲが予め設定された閾値ＦＥＲ＿Ｌｏｗより小さいか否かが判定される（７０２）。その誤り率ＦＥＲがその閾値ＦＥＲ＿Ｌｏｗより小さい状態では（７０２でＹＥＳ）、送受信部１２１にて制御される送信電力が最大値（ＭＡＸ）になっているかが判定される（７０３）。その送信電力が最大値（ＭＡＸ）に制御されていない状態では（７０３でＮＯ）、上記誤り率ＦＥＲの判定（７０２）及び送信電力の判定（７０３）が繰返し実行されながら高速伝送路での通信（７０１）が継続される。
【００３７】
この高速伝送路での通信が行われる過程で、その伝送路状況が悪化して誤り率ＦＥＲが上記閾値ＦＥＲ＿Ｌｏｗ以上になると（７０２でＮＯ）、判定部１１２は、低速伝送路への変更要求の送信指示を送受信部１２１に出力する（７０９）。その結果、送受信部１２１から基地局２０に対して低速伝送路への変更要求が送信される。そして、移動局１０は、通信状態を維持する（７１０、７１１）。
【００３８】
一方、誤り率ＦＥＲが閾値ＦＥＲ＿Ｌｏｗより小さい状態で送信電力が最大値（ＭＡＸ）に制御される状態になると（７０３でＹＥＳ）、判定部１１２は、タイマ制御部１１１に対してタイマ開始命令を出力する（７０４）。その後、再度誤り率ＦＥＲが閾値ＦＥＲ＿Ｌｏｗより小さいか否かの判定（７０５）、及び基地局１０での受信状態悪化による該基地局１０からの送信電力増加指示の有無判定（７０６）が行われる。基地局１０からの送信電力増加指示がない状態では（７０６でＮＯ）、タイマ制御部１１１に対してタイマ停止命令を出力し（７０７）、上記各ステップ（７０２〜７０７）での処理を繰返しながら高速伝送路での通信が維持される。
【００３９】
この状態で、誤り率ＦＥＲが閾値ＦＥＲ＿Ｌｏｗ以上になると（７０５でＮＯ）、上述した場合（７０２の場合）と同様に、判定部１１２は、低速伝送路への変更要求の送信指示を送受信部１２１に出力し（７０９）、その指示に基づいて送受信部１２１から基地局１０に対して低速伝送路への変更要求が送信される。また、誤り率ＦＥＲが閾値ＦＥＲ＿Ｌｏｗより小さい状態であっても（７０５でＹＥＳ）、基地局１０から送信電力の増加指示がなされると（７０８でＹＥＳ）、現時点で既に送信電力が最大値（ＭＡＸ）に制御されており、基地局１０での受信状態を改善することができないので、上記タイマがタイムアウト（満了）したか否かが判定され（７０８）、上記各判定処理（７０５、７０６、７０８）が繰返し実行される。
【００４０】
この状態で、判定部１１２は、タイマ制御部１１１からタイマのタイムアウトの報告を受けると（７０８でＹＥＳ）、上述したように高速伝送路での通信では基地局１０での受信状態の改善ができないので、低速伝送路への変更要求の送信指示を送受信部１２１に出力し（７０９）、その指示に基づいて送受信部１２１から基地局１０に対して低速伝送路への変更要求が送信される。そして、上記タイマの停止処理（７１０）が行われて、移動局１０は、通信状態を維持する（７１０、７１１）。
【００４１】
上述したように、高速伝送路にて基地局２０と通信を行う移動局１０は、誤り率ＦＥＲが閾値ＦＥＲ＿Ｌｏｗ以上となった場合（７０２でＮＯ、及び７０５でＮＯ）、及び誤り率ＦＥＲが閾値ＦＥＲ＿Ｌｏｗより小さい状態であっても、送信電力が最大値（ＭＡＸ）から更に増加の指示が所定時間継続してなされた場合（７０６でＹＥＳ、７０８でＹＥＳ）、それらの条件をトリガとして低速伝送路への変更要求を基地局１０に対して送信する。
【００４２】
上記のような処理を行う移動局１０と高速伝送路にて通信を行う基地局２０は、例えば、図５に示す手順に従って処理を行う。
【００４３】
図５において、判定部２１１は、移動局１０と高速伝送路での通信を行っている状態で（８０１、８０５）、移動局１０から伝送路の変更要求がなされたか否かの判定（８０２）、無線測定部２２２にて得られた上り干渉量測定値ＵＩが所定の閾値ＴｈＵＩ＿Ｌｏｗより大きくなったか否かの判定（８０３）、更に、無線測定部２２２にて得られた誤り率ＦＥＲが所定の閾値ＦＥＲ＿Ｌｏｗより大きくなったか否かの判定を繰返し実行する。その過程で、移動局１０から前述したように低速伝送路への変更要求が受信されると（８０２でＹＥＳ）、判定部２１１は、低速伝送路への変更設定指示の送信要求を送受信部２２１に出力する（８０６）。そして、伝送路変更に関する処理を実行する（８０７）。
【００４４】
また、上り干渉測定値ＵＩが閾値ＴｈＵＩ＿Ｌｏｗより大きくなった場合（８０３でＹＥＳ）、または、誤り率ＦＥＲが閾値ＦＥＲ＿Ｌｏｗより大きくなった場合（８０４でＹＥＳ）には、上記の同様に、判定部２１１は、低速伝送路への変更設定指示の送信要求を送受信部２２１に出力し（８０６）、伝送路変更に関する処理が実行される（８０７）。
【００４５】
上述したように、高速伝送路にて移動局１０と通信を行う基地局２０は、移動局１０から低速伝送路への変更要求を受信した場合（８０２でＹＥＳ）、上り干渉量測定値ＵＩが閾値ＴｈＵＩ＿Ｌｏｗより大きくなった場合（８０３でＹＥＳ）、誤り率ＦＥＲが閾値ＦＥＲ＿Ｌｏｗより大きくなった場合（８０４でＹＥＳ）、それらの条件をトリガとして低速伝送路への変更設定指示を移動局１０に送信する。
【００４６】
上述した移動局１０及び基地局２０での処理により、移動局１０と基地局２０とが高速伝送路にて通信を行う過程で、移動局１０が上記種々の条件をトリガとして低速伝送路への変更要求を基地局２０に送信し、また、基地局２０が上記種々の条件をトリガとして低速伝送路への変更設定指示を移動局１０に送信する。
【００４７】
一方、低速伝送路にて基地局１０と通信を行う移動局１０は、例えば、図６に示す手順に従って処理を行う。
【００４８】
図６において、移動局１０と基地局２０との間で低速の伝送路が設定された状態で通信を行っている（１１０１）過程で、無線測定部１２２にて測定される下り伝送路における誤り率ＦＥＲが予め設定された閾値ＦＥＲ＿ｈｉｇｈより小さいか否かが判定される（１１０２）。その誤り率ＦＥＲがその閾値ＦＥＲ＿ｈｉｇｈより小さくない状態では（１１０２でＮＯ）、送受信部１２１にて制御される送信電力が最大値（ＭＡＸ）になっているかが判定される（１１０３）。その送信電力が最大値（ＭＡＸ）に制御されている状態では（１１０３でＹＥＳ）、上記誤り率ＦＥＲの判定（１１０２）及び送信電力の判定（１１０３）が繰返し実行されながら低速伝送路での通信（１１０１）が継続される。
【００４９】
誤り率ＦＥＲが閾値ＦＥＲ＿ｈｉｇｈ以上である状態であっても（１１２０でＮＯ）、送信電力が最大値（ＭＡＸ）に制御されておらず、高速通信サービスでの通信品質低下を補償しうる状態であれば（１１０３でＮＯ）、判定部１１２は、タイマ制御部１１１に対してタイマ開始命令を出力する（１１０４）。その後、再度誤り率ＦＥＲが閾値ＦＥＲ＿ｈｉｇｈより小さいか否かの判定（７０５）、及び送信電力が最大値（ＭＡＸ）に制御されているか否かの判定（１１０６）が行われる。もし、送信電力が最大値（ＭＡＸ）に制御される状態になっていれば（１１０６）、判定部１１２は、タイマ制御部１１１にタイマの停止を指示し（１１０７）、低速伝送路での通信を維持しつつ（１１０１）、上記判定処理（１１０２、１１０３）を繰返し実行する。
【００５０】
一方、送信電力が最大値（ＭＡＸ）にて制御されていない状態が維持されていれば（１１０６でＮＯ）、更に、上記タイマのタイムアウト（満了）したか否かの判定（１１０８）がなされると共に、上記各判定処理（１１０５、１１０６）が繰返し実行される。
【００５１】
この状態で、誤り率ＦＥＲが閾値ＦＥＲ＿ｈｉｇｈより小さくなると（１１０５でＹＥＳ）、判定部１１２は、高速伝送路への変更要求の送信指示を送受信部１２１に出力し（１１０９）、その指示に基づいて送受信部１２１から基地局２０に対して高速伝送路への変更要求が送信される。そして、上記タイマを停止させ（１１１０）、移動局１０は通信状態を維持する（１１１０）。
【００５２】
また、上記誤り率ＦＥＲが閾値ＦＥＲ＿ｈｉｇｈより小さいか否かの判定（１１０５）、送信電力が最大値（ＭＡＸ）に制御されているか否かの判定（１１０６）、および上記タイマがタイムアウト（満了）したか否かの判定（１１０８）が繰返し実行される過程で、タイマがタイムアウトすると（１１０８でＹＥＳ）、上述したように、基地局２０での受信状態が改善されている状況と判断できるので、判定部１１２は、高速伝送路への変更要求の送信指示を送受信部１２１に出力し（１１０９）、その指示に基づいて送受信部１２１から基地局２０に対して高速伝送路への変更要求が送信される。そして、タイマの停止がなされ（１１１０）、移動局１０は、通信状態を維持する（１１１１）。
【００５３】
更に、前述したように、送信電力が最大値（ＭＡＸ）にて制御されている状態で（１１０３でＹＥＳ）、繰返し誤り率ＦＥＲの判定（１１０２）が行われている過程で、その誤り率ＦＥＲが閾値ＦＥＲ＿ｈｉｇｈより小さくなると、伝送路乃状態が良好であるとして、判定部１１２は、高速伝送路への変更要求の送信指示を送受信部１２２に出力し（１１０９）、その指示に基づいて送受信部１２１から基地局２０に対して高速伝送路への変更要求が送信される。
【００５４】
上述したように、低速伝送路にて基地局２０と通信を行う移動局１０は、送信電力が最大値（ＭＡＸ）で制御されていない状態（１１０３でＮＯ、１１０６でＮＯ）が所定時間継続した場合（１１０８でＹＥＳ）、送信電力の制御値に関わらず（１１０３でＹＥＳ、または１１０６でＮＯ）で、誤り率ＦＥＲが閾値ＦＥＲ＿ｈｉｇｈより小さくなった場合（１１０２でＹＥＳ、及び１１０５でＹＥＳ）、それらの条件をトリガとして高速伝送路への変更要求を基地局１０に対して送信する。
【００５５】
上記のような処理を行う移動局１０と低速伝送路にて通信を行う基地局２０は、例えば、図７に示す手順に従って処理を行う。
【００５６】
図７において、判定部２１１は、移動局１０と低速伝送路での通信を行っている状態で（１２０１、１２０５）、移動局１０から伝送路の変更要求がなされたか否かの判定（８０２）、無線測定部２２２にて得られた上り干渉量測定値ＵＩが所定の閾値ＴｈＵＩ＿ｈｉｇｈより小さくなったか否かの判定（１２０３）、更に、無線測定部２２２にて得られた誤り率ＦＥＲが所定の閾値ＦＥＲ＿ｈｉｇｈより小さくなったか否かの判定を繰返し実行する。その過程で、移動局１０から前述したように高速速伝送路への変更要求が受信されると（１２０２でＹＥＳ）、判定部２１１は、高速伝送路を設定するための無線リソース（例えば、無線容量）があるか否かの判定を行う（１２０６）。そのような無線リソースがあれば（１２０６でＹＥＳ）、高速伝送路への変更設定指示の送信要求を送受信部２２１に出力する（１２０７）。そして、伝送路変更に関する処理を実行する（１２０８）。一方、基地局２０のサービスエリアＥｓ内に通信中の多くの移動局１０が在圏し、そのような無線リソースがなければ、低速伝送路での通信状態を維持する（１２０５）。
【００５７】
また、上り干渉測定値ＵＩが閾値ＴｈＵＩ＿ｈｉｇｈより小さくなった場合（１２０３でＹＥＳ）、または、誤り率ＦＥＲが閾値ＦＥＲ＿ｈｉｇｈより小さくなった場合（１２０４でＹＥＳ）も、上記の同様に、判定部２１１は、高速伝送路を設定するための無線リソースの有無を判定し（１２０６）、そのような無線リソースがあれば、高速伝送路への変更設定指示の送信要求を送受信部２２１に出力して（１２０７）、伝送路変更に関する処理を実行する（８０７）。
【００５８】
上述したように、高速伝送路にて移動局１０と通信を行う基地局２０は、移動局１０から高速伝送路への変更要求を受信した場合（１２０２でＹＥＳ）、上り干渉量測定値ＵＩが閾値ＴｈＵＩ＿ｈｉｇｈより小さくなった場合（１２０３でＹＥＳ）、誤り率ＦＥＲが閾値ＦＥＲ＿ｈｉｇｈより小さくなった場合（１２０４でＹＥＳ）、それらの条件をトリガとして高速伝送路への変更設定指示を移動局１０に送信する。
【００５９】
上述した移動局１０及び基地局２０での処理により、移動局１０と基地局２０とが低速伝送路にて通信を行う過程で、移動局１０が上記種々の条件をトリガとして高速伝送路への変更要求を基地局２０に送信し、また、基地局２０が上記種々の条件をトリガとして高速伝送路への変更設定指示を移動局１０に送信する。
【００６０】
更に、移動局１０は、上述したように、伝送路の状態（誤り率ＦＥＲ）に応じて基地局２０との間の通信に使用される伝送路の変更要求を基地局２０に送信するするが、移動局１０は、更に、その要求に基づいて伝送路変更制御のための処理を例えば図８に示す手順に従って行う。
【００６１】
図８において、低速伝送路及び高速伝送路のいずれかの伝送路にて基地局２０と通信している状態（１３０１）において、判定部１１２は、前述したように伝送路変更トリガの条件が満足されたか否かの判定（図４における７０２〜７０８の処理、または、図６における１１０２〜１１０８の処理）を行う（１３０２）。そして、この伝送路変更変更トリガの条件が満足されると（１３０２でＹＥＳであって、図４における７０２でＮＯ、７０５でＮＯ、７０８でＹＥＳ、または、図５における１１０２でＹＥＳ、１１０５でＹＥＳ、１１０８でＹＥＳ）、前述したように伝送路の変更要求が移動局１０から基地局２０に送信される（１３０３、図４における７０９または図５における１１０９に対応）。
【００６２】
このように、移動局１０から基地局２０に対して高速伝送路への変更要求または低速伝送路への変更要求がなされると、移動局１０の判定部１１２は、タイマ制御部１１１に対してタイマの開始要求を行う（１３０４）。そして、この要求に応じてタイマ制御部１１１は、タイマの動作を開始させる。この状態で、判定部１１２は、そのタイマがタイムアウト（満了）したか否かの判定（１３０５）及び基地局２０から伝送路変更設定信号が受信されるか否かの判定（１３０６）が行われる。上記タイマがタイムアウトするまでに基地局２０から伝送路変更設定信号を受信しなければ（１３０６でＮＯ）、判定部１１２は、タイマを停止させ（１３１０）た後に、現在の通信状態を維持しつつ（１３０１）、上記処理（１３０２〜１３０６）を繰返し実行する。
【００６３】
一方、上記タイマがタイムアウトする前に基地局２０から伝送路変更設定信号（図５における８０６または図７における１２０７で送信される）を受信すると（１３０６でＹＥＳ）、上記タイマが停止され（１３０７）、変更後の伝送路での同期確立ができるか否かが判定される（１３０８）。その変更後の伝送路での同期確立ができた場合（１３０８で成功）、判定部１１２は、伝送路変更設定応答信号の送信指示を送受信部１２１に出力し（１３０９）、その指示に従って、送受信部１２１から基地局２０に対して伝送路変更設定応答信号が送信される。一方、変更後の伝送路での同期確立ができない場合（１３０８で失敗）、現状の伝送路の回復処理が行われ（１３１１）、その伝送路での通信状態が維持される。
【００６４】
上記のような処理を行う移動局１０と通信を行う基地局２０では、例えば、図９に示す手順に従ってしょりが行われる。
【００６５】
図９において、低速伝送路及び高速伝送路のいずれかの伝送路にて移動局１０と通信している状態（１４０１）において、判定部２１１は、前述したように移動局１０から伝送路の変更要求信号が受信されたか否かの判定（図５における８０２での処理、または、図７における１２０２での処理）、及び伝送路変更設定トリガの条件が満足されたか否かの判定（図５における８０３、８０４での処理、または、図７における１２０３、１２０４での処理）が繰返し実行される（１４０２、１４０３）。上記判定処理の結果、移動局１０から伝送路の変更要求が受信される（１４０２でＹＥＳ）か、または、伝送路変更設定トリガの条件が満足されると（１４０３でＹＥＳ）、前述したように伝送路変更設定信号が基地局２０から移動局１０に送信される（１４０４、図５における８０６、または図７における１２０６、１２０７に対応）。
【００６６】
このようにして伝送路変更設定信号が基地局２０から移動局１０に送信されると、基地局２０の判定部２１１はタイマの動作を開始させる（１４０５）。この状態で、判定部２１１は、変更後の伝送路での同期確立ができるか否かを判定する（１４０６）。その変更後の伝送路での同期確立ができる場合、判定部２１１は、更に、移動局１０から伝送路変更設定応答信号（図８における１３０９にて送信される）を受信したか否かの判定（１４０７）、及びタイマがタイムアウト（満了）したか否かの判定（１４０８）を繰り返し実行する。その過程で、移動局１０から伝送路変更設定応答信号を受信すると（１４０７でＹＥＳ）、上記タイマを停止させ（１４１０）、変更後の伝送路にて通信を継続する（１４１１）。
【００６７】
一方、上記伝送路変更設定応答信号を移動局１０から受信することなく（１４０７でＮＯ）、上記タイマがタイムアウト（満了）すると（１４０８でＮＯ）、変更しない現状の伝送路の回復処理が行われる（１４０９）。なお、伝送路変更設定信号が基地局２０から移動局１０に送信された（１４０４）後、その変更後の伝送路での同期確立ができない場合（１４０６でＮＯ）、判定部２１１は、上記タイマのタイムアウト時と同様に、変更しない現状の伝送路の回復処理を行う（１４０９）。
【００６８】
上記のように移動局１０と基地局２０との間で高速伝送路及び低速伝送路のいずれかで通信を継続した状態で、その移動局１０と基地局２０との間の伝送状況に応じて高速伝送路へのまたは低速伝送路への切替えが行われる。
【００６９】
相互に通信を行う移動局１０と基地局２０とがそれぞれ上述したような処理を行う結果、移動局１０と基地局２０との間で、図１０乃至１３に示すような手順に従って伝送路の変更が行われる。
【００７０】
図１０は、移動局１０からのトリガにより高速伝送路から低速伝送路に変更する際の手順を示す。図１０において、移動局１０と基地局２０とが高速伝送路にて通信を行っている過程で（２０１）、移動局１０にて高速伝送路での通信維持が困難である（例えば、誤り率ＦＥＲが閾値ＦＥＲ＿Ｌｏｗ以上になる）と判定されると（２０３）、低速伝送路への変更要求（品質維持困難の通知）が移動局１０から基地局２０に送信される（２０３）。この低速伝送路への変更要求を受信した基地局２０は、低速伝送路に変更するためのメッセージとなる伝送路変更設定指示を移動局１０に送信する（２０４）。この指示を受信した移動局１０は、その指示された低速伝送路での同期確立の確認などを行ってその低速伝送路への変更を行う（２０５）。
【００７１】
そのようにして伝送路の変更がなされた後、移動局１０は、伝送路変更完了通知となる伝送路変更設定応答信号を基地局２０に送信する（２０６）。その後、移動局１０と基地局２０との間で新規に設定された低速伝送路での通信が開始される（２０７）。
【００７２】
図１１は、移動局１０からのトリガにより低速伝送路から高速伝送路に変更する際の手順を示す。図１１において、移動局１０と基地局２０とが低速伝送路にて通信を行っている過程で（４０１）、移動局１０にて高速伝送路の使用が可能である（例えば、誤り率ＦＥＲが閾値ＦＥＲ＿ｈｉｇｈより小さくなる）と判定されると（４０２）、高速伝送路への変更要求（高速通信可能の通知）が移動局１０から基地局２０に送信される（４０３）。この高速伝送路への変更要求を受信した基地局２０は、サービスエリア内の通信状態が移動局１０に対して高速伝送路を設定できる状態にあるか等を確認して高速伝送路に変更するためのメッセージとなる伝送路変更設定指示を移動局１０に送信する（４０４）。この指示を受信した移動局１０は、その指示された高速伝送路での同期確立の確認などを行ってその高速伝送路への変更を行う（４０５）。
【００７３】
そのようにして伝送路の変更がなされた後、移動局１０は、伝送路変更完了通知となる伝送路変更設定応答信号を基地局２０に送信する（４０６）。その後、移動局１０と基地局２０との間で新規に設定された高速伝送路での通信が開始される（４０７）。
【００７４】
図１２は、基地局２０からのトリガにより高速伝送路から低速伝送路に変更する際の手順を示す。図１２において、移動局１０と基地局２０とが高速伝送路にて通信を行っている過程で（３０１）、基地局２０にて高速伝送路での通信を維持するためには十分な品質が確保できない（上り干渉量ＵＩが閾値ＴｈＵＩ＿ｌｏｗより大きくなる、誤り率ＦＥＲが閾値ＦＥＲ＿Ｌｏｗより大きくなるなど）と判定されると（３０２）、伝送路を低速伝送路に変更するためのメッセージとなる伝送路変更設定指示が基地局２０から移動局１０に送信される（３０３）。この指示を受信した移動局１０は、その指示された低速伝送路での同期確立の確認などを行ってその低速伝送路への変更を行う（３０４）。
【００７５】
そのようにして伝送路の変更がなされた後、移動局１０は、伝送路変更完了通知となる伝送路変更設定応答信号を基地局２０に送信する（４０５）。その後、移動局１０と基地局２０との間で新規に設定された低速伝送路での通信が開始される（４０６）。
【００７６】
図１３は、基地局２０からのトリガにより低速伝送路から高速伝送路に変更する際の手順を示す。図１３において、移動局１０と基地局２０とが低速伝送路にて通信を行っている過程で（５０１）、低速伝送路での通信における受信受信品質が改善され、高速伝送路での通信を維持するために十分な品質が確保できる（上り干渉量ＵＩが閾値ＴｈＵＩ＿ｈｉｇｈより小さくなる、誤り率ＦＥＲが閾値ＦＥＲ＿ｈｉｇｈより小さくなる）と判定されると（５０２）、伝送路を高速伝送路に変更するためのメッセージとなる伝送路変更設定指示が基地局２０から移動局１０に送信される（５０３）。こおの指示を受信した移動局１０は、その指示された高速伝送路での同期確立の確認などを行って高速伝送路への変更を行う（５０４）。
【００７７】
そのようにして伝送路の変更がなされた後、移動局１０は、伝送路変更完了通知となる伝送路変更設定応答信号を基地局２０に送信する（５０５）。その後、移動局１０と基地局２０との間で新規に設定された高速伝送路での通信が開始される。
【００７８】
上述したような移動局１０と基地局２０との間の通信に使用される伝送路が変更される一例が図１４に示される。この場合、基地局２０のサービスエリアＥｓでは、この基地局２０に比較的近い領域Ｅｓ１では、移動局１０と基地局２０との間で高速伝送路での通信が保証される。また、上記サービスエリアＥｓの周辺部となる領域Ｅｓ２では、移動局１０と基地局２０との間で低速伝送路での通信が保証される。移動局１０が基地局２０と通信を行いながら、上記領域Ｅｓ１から領域Ｅｓ２に移行する際に、その境界部において、移動局１０と基地局２０との間の通信に使用される伝送路が高速伝送路から低速伝送路に変更される。逆に、移動局１０が上記領域Ｅｓ２から領域Ｅｓ１に移行する際に、その境界部において、移動局１０と基地局２０との間の通信に使用される伝送路が低速伝送路から高速伝送路に変更される。
【００７９】
また、移動局１０と基地局２０との間の通信に使用される伝送路が変更される他の例が図１５に示される。この場合、基地局２０（１）のサービスエリアＥｓ１に在圏する移動局の数が基地局２０（２）のサービスエリアＥｓ２に在圏する移動局の数が異なり、サービスエリアＥｓ１にて許容される最大通信速度がサービスエリアＥｓ２にて許容される最大通信速度より大きい状況となっている。このような状況において、移動局１０がサービスエリアＥｓ１からサービスエリアＥｓ２に移行する（ハンドオーバ）場合、移動局１０が基地局２０（１）と通信を行う際に高速伝送路が使用され、移動局１０が基地局２０（２）と通信を行う際にはその使用される伝送路が低速伝送路に変更される。逆に、移動局１０がサービスエリアＥｓ２からサービスエリアＥｓ１に移行する場合、移動局１０が基地局２０（２）と通信を行う際に低速伝送路が使用され、移動局１０が基地局２０（１）と通信を行う際にはその使用される伝送路が高速伝送路に変更される。
【００８０】
上述したような移動通信システムでは、移動局１０と基地局２０が通信を継続した状態で、伝送路状態が劣化した場合に、使用される伝送路が高速伝送路から低速伝送路に変更される。また、逆に伝送路状態が改善された場合には、使用される伝送路が低速伝送路から高速伝送路に変更することができる。
【００８１】
上記例において、図４に示すステップ７０２、７０５、７０５及び７０８での処理、図５におけるステップ８０３、８０４での処理、図６に示すステップ１１０２、１１０５、１１０６、１１０８での処理、図７に示すステップ１２０３、１２０４での処理が通信品質判定手段に対応し、図８、図９に示す処理が伝送路切替え制御手段に対応する。図８に示すステップ１３０８での処理、図９に示すステップ１４０６での処理が切替え可否判定手段に対応する。
【００８２】
【発明の効果】
以上、説明してきたように、請求項１乃至１１記載の本願発明に係る移動通信システムによれば、移動局と基地局との間での通信状態が維持されながら、その通信品質に応じて通信速度の異なる無線伝送路の切替えが行われるので、移動局と基地局との間においてより良い状態での通信を維持できるようになる。請求項１２乃至２１記載の本願発明によれば、上記のような移動通信システムに用いられる移動局を提供することができる。更に、請求項２２乃至２９記載の本願発明によれば、上記のような移動通信システムに用いられる基地局を提供することができる。
【図面の簡単な説明】
【図１】本発明の実施の一形態に係る移動通信システムの基本構成例を示すブロック図である。
【図２】図１に示す移動通信システムにおける移動局の主要部の構成例を概念的に示すブロック図である。
【図３】図１に示す移動通信システムにおける基地局の主要部の構成例を概念的に示すブロック図である。
【図４】移動局における高速伝送路から低速伝送路への切替えのための処理例を示すフローチャートである。
【図５】基地局における高速伝送路から低速伝送路への切替えのための処理例を示すフローチャートである。
【図６】移動局における低速伝送路から高速伝送路への切替えのための処理例を示すフローチャートである。
【図７】基地局における低速伝送路から高速伝送路への切替えのための処理例を示すフローチャートである。
【図８】移動局における伝送路切替え制御に係る処理例を示すフローチャートである。
【図９】基地局における伝送路切替え制御に係る処理例を示すフローチャートである。
【図１０】移動局からのトリガにより移動局と基地局との間の通信に使用される伝送路を高速伝送路から低速伝送路に変更する際の通信手順を示すシーケンス図である。
【図１１】移動局からのトリガにより移動局と基地局との間の通信に使用される伝送路を低速伝送路から高速伝送路に変更する際の通信手順を示すシーケンス図である。
【図１２】基地局からのトリガにより移動局と基地局との間の通信に使用される伝送路を高速伝送路から低速伝送路に変更する際の通信手順を示すシーケンス図である。
【図１３】基地局からのトリガにより移動局と基地局との間の通信に使用される伝送路を低速伝送路から高速伝送路に変更する際の通信手順を示すシーケンス図である。
【図１４】移動局と基地局との間の通信に使用される伝送路の切替えが行われる場合の一例を示す図である。
【図１５】移動局と基地局との間の通信に使用される伝送路の切替えが行われる場合の他の一例を示す図である。
【図１６】従来の移動通信システムにおける通信手順の一例を示すシーケンス図である。
【符号の説明】
１０  移動局
１１  制御部
１２  無線部
２０  基地局
２１  制御部
２２  無線部
３０  交換局
１１１  タイマ制御部
１１２  判定部
１２１  送受信部
１２２  無線測定部
２１１  判定部
２２１  送受信部
２２２  無線測定部
【図１】
0003987673.tif 000002
【図２】
0003987673.tif 000003
【図３】
0003987673.tif 000004
【図４】
0003987673.tif 000005
【図５】
0003987673.tif 000006
【図６】
0003987673.tif 000007
【図７】
0003987673.tif 000008
【図８】
0003987673.tif 000009
【図９】
0003987673.tif 000010
【図１０】
0003987673.tif 000011
【図１１】
0003987673.tif 000012
【図１２】
0003987673.tif 000013
【図１３】
0003987673.tif 000014
【図１４】
0003987673.tif 000015
【図１５】
0003987673.tif 000016
【図１６】
0003987673.tif 000017